【事件の表示】
　特願２０００−　１２１１０「パチンコ機」拒絶査定不服審判事件〔平成１３年　７月２４日出願公開、特開２００１−１９８２９５〕について、次のとおり審決する。
【結　論】
　本件審判の請求は、成り立たない。
【理　由】
１．手続の経緯・本願発明　　　　　　　　　　　　　　　　　　　　　
　本願は、平成１２年１月２０日の出願であって、その請求項１に係る発明は、平成１９年１２月２８日付けの手続補正書によって補正された明細書及び図面の記載からみて、その特許請求の範囲の請求項１に記載された事項により特定されるとおりのつぎのものと認められる。
「複数の表示部にて図柄を変動表示する図柄表示装置での各停止図柄が同一となる大当たり発生の際に、大入賞口を開放する大当たり状態を提供する大当たり遊技手段と、
　前記大当たりに基づく大入賞口の開放前の情報表示を行う表示手段と、を備えるパチンコ機において、
　前記表示手段が、前記大当たりに基づく大入賞口の開放前の情報表示を、前回の大当たりから今回の大当たりの発生までの図柄変動の回数が所定回数を越える際に長く表示し、変動回数が前記所定回数以内の際に短く表示し、
　前記情報表示を長く表示する際と短く表示する際とで、画像表示をスクロールさせる速度を変えることを特徴とするパチンコ機。」（以下、「本願発明」という。）
　　　　　　　　　　　　　　　　　　　　　　　　　　　　　　　　　
２．当審の拒絶理由
　一方、当審において平成１９年１１月９日付けで通知した拒絶の理由の概要は、本願の請求項１ないし４に係る発明は、本願の出願前に頒布された刊行物である、
　引用刊行物：特開平９−９９１３５号公報
　　に記載された発明、及び周知技術として例示される、
　周知例１：特開平２−１９５９７７号公報
　周知例２：特開平２−１２４１９１号公報
　　に基いて当業者が容易に発明をすることができたものであるから、特許法第２９条第２項の規定により特許を受けることができない、というものである。
　　　　　　　　　　　　　　　　　　　　　　　　　　　　　　　　　
３．引用発明
　上記の引用刊行物（特開平９−９９１３５号公報）には以下の記載がある。
a．「図１には、この発明の実施の形態に係るパチンコ遊技機の遊技盤の正面図を示す。」（段落【００３９】）
b．「・・・遊技領域３中に打ち込まれた遊技球が特図始動口９，９・・・に入賞すると・・・可変表示装置４の可変表示部４ａに特別図柄の変動表示がなされることにより、特別図柄の可変表示遊技が行われる。
　この特別図柄可変表示遊技において、左、中、右の図柄が停止される過程で、大当たりを発生させる可能性のある停止表示態様（例えば、「１，１，−」、「２，２，−」、「３，３，−」など）となった場合は、・・・リーチ表示態様に変換される。　この特別図柄可変表示遊技の結果として、その停止図柄が大当たりを発生させる所定の停止表示態様（例えば、「１，１，１」、「２，２，２」、「３，３，３」などのぞろめ）となった場合は、大当たりと呼ばれる所定の遊技状態である特別遊技状態が発生されて、遊技者に獲得される。
　この特別遊技は、特別変動入賞装置５の開閉扉５ａが所定時間（例えば、２９．５秒）開放され・・・る。・・・」（段落【００５９】【００６１】【００６２】【００６３】）
c．「また、以上の遊技の間、可変表示装置４の可変表示部４ａに、遊技状態に応じた装飾表示がなされる。例えば・・・特図の可変表示遊技で大当りのファンファーレが発生した時・・・などに、それぞれの遊技状態に応じた装飾表示（演出表示）がなされる。
　それら装飾表示のパターンは、特別遊技状態の獲得に伴う遊技の実行進度、即ち、特図の可変表示遊技の始動条件の成立の回数（即ち、特図の可変表示遊技の実行回数）の進度・・・などの進度に関連して変更される。
　即ち、例えば、前回の大当り発生から現在までの特図の可変表示遊技の実行回数（変動回数と呼ぶ）・・・などに基づいて装飾表示パターンが変更される。」（段落【００６６】−【００６８】）
d.「ステップＳ１８では・・・変動回数カウンタの情報データのセットを行い、ステップＳ１９に移行する。ここで、・・・変動回数カウンタは前回の大当り発生或いは電源投入時から現在までの特図可変表示遊技の実行回数を書き込むカウンタである。」（段落【００８５】）
e．「このモード別分岐処理は、役物用ＩＣ２１から送られてくる各モードデータ・・・などに基づく表示を可変表示部４ａに表示させる処理である。
　つまり、この処理において、遊技状態に応じて役物用ＩＣ２１から送られてくる各モードデータに基づいて、表示制御回路４０の表示用ＣＰＵ４１やＶＤＰ４２が、制御ＲＯＭ４１ａやキャラクタＲＯＭ４２ａから各種表示制御データや各種表示データを読み込み、可変表示装置４の可変表示部４ａに表示信号を送信して、所定の表示を可変表示部４ａに行わせることにより、特別遊技状態の獲得に伴う遊技の実行進度に関連して変更される装飾表示を行っている。・・・」（段落【０１１１】【０１１２】））
f．「要するに、図表中の各モードに対するデータ７の「遊技状態モード」データに基づいて、特別遊技状態の獲得に伴う遊技の実行進度に関連させて各モードに対応した表示を行っている。
・・・
　そして、この「遊技状態モード」データに基づいて所定の遊技状態中（例えば、特図の可変表示遊技中、特別遊技状態の獲得中、特図の可変表示遊技又は特別遊技状態の獲得中以外の）の表示態様や表示内容が複数ある所定の表示パターンの中から選択され、他の表示と合成して表示されたり、そのまま表示されたりする。」（段落【０１２５】【０１２９】）
g．「また、図１６には、図１２の対応表に示されたファンファーレ時、大当り時、及び大当り終了時の表示内容の表示画像を示す。
　図１６中、（ａ）は変動回数５１〜３００回の場合のファンファーレ時の表示画像、（ｂ）は変動回数５１〜３００回の場合の大当り時の表示画像、（ｃ）は変動回数５１〜３００回の場合の大当り終了時の表示画像、（ｄ）は変動回数３０１回以上の場合のファンファーレ時の表示画像、（ｅ）は変動回数３０１回以上の場合の大当り時の表示画像、（ｆ）は変動回数３０１回以上の場合の大当り終了時の表示画像である。」（段落【０１３７】【０１３８】）                  
h．「「遊技状態モード」データ・・・には、変動回数および特図の可変表示遊技の停止図柄情報に基づいたデータが書き込まれ、例えば、図１２に示すように、変動回数０〜５０回の条件の基にデータ「００」が書き込まれ、変動回数５１〜３００回で且つ通常図柄（確変図柄以外）でのリーチ表示態様発生の条件の基にデータ「０１」が、変動回数５１〜３００回で且つ確変図柄でのリーチ表示態様発生の条件の基にデータ「１０」が、変動回数３０１回以上の条件の基にデータ「１１」がそれぞれ書き込まれている。」（段落【０１３９】）
i．「また、ファンファーレ時において、「遊技状態モード」データ・・・が、データ「００」の場合、変動回数がまだ少ない間に大当りしたことを示唆する例えば「ヤッタネ大当り！いい調子よ」の表示を、データ「０１」又はデータ「１０」の場合、図１６（ａ）に示すように、変動回数が大当りどころの回数で大当りしたことを示唆する例えば「ヤッタネ大当り！これからが勝負よ」の表示をする。データ「１１」の場合、図１６（ｄ）に示すように、変動回数が多い状態で大当りしたことを示唆する例えば「ヤッタネ大当り！大逆転チャンス」の表示をそれぞれ行う。また、これらのファンファーレ時の表示には、可変表示遊技の結果である大当り図柄の表示をそれぞれ合成している。」（段落【０１４３】、図１２、図１６）
　　　　　　　　　　　　　　　　　　　　　　　　　　　　　　　　　
　上記の記載によれば、引用刊行物（特開平９−９９１３５号公報）には次の発明（以下、「引用発明」という）が記載されていると認められる。
　「遊技領域３中に打ち込まれた遊技球が特図始動口９，９に入賞すると可変表示装置４の可変表示部４ａに、左、中、右の図柄より成る特別図柄の変動表示がなされることにより、特別図柄の可変表示遊技が行われ、この特別図柄可変表示遊技の結果として、その停止図柄が大当たりを発生させる所定の停止表示態様（例えば、『１，１，１』、『２，２，２』、『３，３，３』などのぞろめ）となった場合は、大当たりと呼ばれる所定の遊技状態である特別遊技状態が発生されて、特別変動入賞装置５の開閉扉５ａが所定時間開放されるパチンコ遊技機において、遊技の間、可変表示装置４の可変表示部４ａに遊技状態に応じた装飾表示（演出表示）がなされ、それら装飾表示のパターンは、特図の可変表示遊技の実行回数の進度などに関連して変更されるものであり、例えば、前回の大当り発生から現在までの特図の可変表示遊技の実行回数（変動回数と呼ぶ）などに基づいて、表示態様や表示内容が複数ある所定の表示パターンの中から選択されるものであり、前回の大当り発生或いは電源投入時から現在までの特図可変表示遊技の実行回数を書き込むカウンタを備え、特図の可変表示遊技で大当りのファンファーレが発生した時などに、それぞれの遊技状態に応じた装飾表示がなされ、例えば、変動回数０〜５０回の場合のファンファーレ時には、変動回数がまだ少ない間に大当りしたことを示唆する例えば『ヤッタネ大当り！いい調子よ』の表示を、変動回数５１〜３００回の場合のファンファーレ時には、大当りどころの回数で大当りしたことを示唆する例えば『ヤッタネ大当り！これからが勝負よ』の表示を、変動回数３０１回以上の場合のファンファーレ時には、変動回数が多い状態で大当りしたことを示唆する例えば『ヤッタネ大当り！大逆転チャンス』の表示をそれぞれ行う、パチンコ遊技機。」
  　　　　　　　　　　　　　　　　　　　　　　　　　　　　　　　　
４．対比
　本願発明と引用発明とを対比すると、引用発明における「パチンコ機」は本願発明における「パチンコ遊技機」に相当しており、同様に、「左、中、右の図柄より成る可変表示部４ａ」は「複数の表示部」に、「可変表示装置４」は「図柄表示装置」に、「停止表示態様が『ぞろめ』となった場合」は「各停止図柄が同一となる大当たり発生の際」に、「特別変動入賞装置５の開閉扉５ａを開放」は「大入賞口を開放」に、それぞれ相当しており、さらに引用発明について以下のことがいえる。
　　　　　　　　　　　　　　　　　　　　　　　　　　　　　　　　　
(i) 引用発明は、「左、中、右の図柄より成る可変表示部４ａ」にて「図柄を変動表示」する「可変表示装置４」での「停止表示態様が『ぞろめ』となった場合」に、「特別変動入賞装置５の開閉扉５ａを開放」することで「大当たりを発生させる」ものであり、当該構成は、本願発明における「複数の表示部にて図柄を変動表示する図柄表示装置での各停止図柄が同一となる大当たり発生の際に、大入賞口を開放する大当たり状態を提供する」の事項に相当するものであるとともに、当該構成を備えた引用発明は、実質上、本願発明が備える「大当たり遊技手段」に相当する手段を備えているということができる。
　そうすると、引用発明は、本願発明を特定する、「複数の表示部にて図柄を変動表示する図柄表示装置での各停止図柄が同一となる大当たり発生の際に、大入賞口を開放する大当たり状態を提供する大当たり遊技手段」の事項に相当する構成を備えているといえる。
                                  　　　　　　　　　　　　　　　　
(ii) 引用発明に係る「パチンコ遊技機」（「パチンコ機」）は、「特図の可変表示遊技で大当りのファンファーレが発生した時などに、それぞれの遊技状態に応じた装飾表示がなされ」るものであり、上記「装飾表示」は、「それぞれの遊技状態に応じ」てなされる「表示」であり、その機能に照らすと、本願発明における「情報表示」に相当するものであるといえるとともに、同引用発明は、「装飾表示」を行う手段（本願発明における「表示手段」に相当するもの。）を備えているといえる。
　さらに引用刊行物の摘示i．並びに図１２及び図１６を参照すると、上記した「装飾表示」は、「大当りのファンファーレが発生した時」から「特別変動入賞装置５の開閉扉５ａ」が「開放され」て「大当たり時」の「装飾表示」が開始されるまでの、「ファンファーレ時」の表示であり、本願発明における「大当たりに基づく大入賞口の開放前の情報表示」に相当するものであることが明らかである。
　そうすると、引用発明は、本願発明を特定する、「前記大当たりに基づく大入賞口の開放前の情報表示を行う表示手段と、を備えるパチンコ機」の事項に相当する構成を備えているといえる。
　　　　　　　　　　　　　　　　　　　　　　　　　　　　　　　　　
(iii) 本願発明が行う「情報表示」に相当する表示として、引用発明が行う「装飾表示」は、「演出表示」（摘示c．）でもあり、「変動回数」に応じて異なるメッセージを表示し、「変動回数０〜５０回の場合」には、「例えば『ヤッタネ大当り！いい調子よ』の表示」を、「変動回数５１〜３００回の場合」には、「例えば『ヤッタネ大当り！これからが勝負よ』の表示」を、「変動回数３０１回以上の場合」には、「例えば『ヤッタネ大当り！大逆転チャンス』」を、それぞれ表示することで異なる演出を行うものである。
　すなわち、引用発明に係る「パチンコ遊技機」（「パチンコ機」）は、「大当たりに基づく大入賞口の開放前の情報表示」を、前回の大当たりから今回の大当たりの発生までの図柄変動の回数に応じた異なる演出によるものとしたものであり、引用発明が備える当該構成を、「表示手段が、大当たりに基づく大入賞口の開放前の情報表示を、前回の大当たりから今回の大当たりの発生までの図柄変動の回数が所定回数を越える際と変動回数が前記所定回数以内の際とで異なる演出によるものとしたパチンコ機」と表現することができる。
　一方、本願発明は、「前記表示手段が、前記大当たりに基づく大入賞口の開放前の情報表示を、前回の大当たりから今回の大当たりの発生までの図柄変動の回数が所定回数を越える際に長く表示し、変動回数が前記所定回数以内の際に短く表示し、前記情報表示を長く表示する際と短く表示する際とで、画像表示をスクロールさせる速度を変えることを特徴とするパチンコ機」であり、「（情報表示を）長く表示」したり「短く表示」すること、及び、「（情報表示を長く表示する際と短く表示する際とで、）画像表示をスクロールさせる速度を変えること」は、その技術的意義に照らすと、何れも、「異なる演出」と包括的に表現することができるとともに、本願発明が備える上記の発明特定事項を、「前記表示手段が、前記大当たりに基づく大入賞口の開放前の情報表示を、前回の大当たりから今回の大当たりの発生までの図柄変動の回数が所定回数を越える際と変動回数が前記所定回数以内の際とで異なる演出によるものとしたパチンコ機」と包括的に表現することができる。
　そうすると、本願発明と引用発明とは、「前記表示手段が、前記大当たりに基づく大入賞口の開放前の情報表示を、前回の大当たりから今回の大当たりの発生までの図柄変動の回数が所定回数を越える際と変動回数が前記所定回数以内の際とで異なる演出によるものとしたパチンコ機」である点で共通しているといえる。
　　　　　　　　　　　　　　　　　　　　　　　　　　　　　　　　　
　以上より、本願発明と引用発明とは以下の点で一致し、また、相違していると認められる。 
一致点； 
　複数の表示部にて図柄を変動表示する図柄表示装置での各停止図柄が同一となる大当たり発生の際に、大入賞口を開放する大当たり状態を提供する大当たり遊技手段と、前記大当たりに基づく大入賞口の開放前の情報表示を行う表示手段と、を備えるパチンコ機において、前記表示手段が、前記大当たりに基づく大入賞口の開放前の情報表示を、前回の大当たりから今回の大当たりの発生までの図柄変動の回数が所定回数を越える際と変動回数が前記所定回数以内の際とで異なる演出によるものとしたパチンコ機、である点。
 　　　　　　　　　　　　　　　　　　　　　　　　　　　　　　　　　相違点；
　異なる演出が、本願発明では、情報表示を、前回の大当たりから今回の大当たりの発生までの図柄変動の回数が所定回数を越える際に長く表示し、変動回数が前記所定回数以内の際に短く表示し、前記情報表示を長く表示する際と短く表示する際とで、画像表示をスクロールさせる速度を変えるものであるのに対して、引用発明では、情報表示の表示内容を異ならせるものであり、表示する長さを異ならせるものでなく、画像表示をスクロールさせる速度を変えるものでない点。
　　　　　　　　　　　　　　　　　　　　　　　　　　　　　　　　　
５．判断  
　上記の相違点について検討する。
　大当たりに基づく大入賞口の開放前の情報表示に係る画像表示をスクロールさせることは周知技術（一例をあげれば、特開平２−１９５９７７号公報（第９頁左上欄第３−８行）、特開平２−１２４１９１号公報（第１５頁右上欄第５−１４行、第２７−３３図）、特開平４−１０２４８７号公報（第２１頁右下欄第１−１４行、第２１図））であり、当該周知技術は、大入賞口の開放前の情報表示を演出により表示する周知慣用の表示手段であるといえる。
　ところで、パチンコ機においては、遊技に伴う情報を遊技情報として表示する演出が遊技の随所でなされており、例えばリーチ状態が成立したことを遊技情報として表示するリーチ演出においては、大当たりが発生する可能性が大、小と異なる遊技情報に応じて、一方の遊技情報を長く表示（ロングリーチ演出）し、他方を短く表示（通常リーチ演出）する等の演出や、画像表示をスクロールさせる速度を変えて遊技者の注意を喚起する等の演出が行われるのが通例である。
　すなわち一般に、パチンコ機における遊技情報の表示において、表示時間を長、短と異ならせたり、画像表示をスクロールさせる速度を変えることで、異なる遊技情報に応じて、異なる演出により表示を行うことは周知慣用の表示手段であり、異なる遊技情報のいずれに、長、短と異なる表示時間のどちらを対応付け、スクロールさせる速度を変えて、異なる演出により表示を行うかは、当業者が適宜に選択実施することである。
　以上を総合勘案すると、大当たりに伴う遊技情報の表示を、変動回数に応じた異なる情報表示として、異なる演出により表示を行う引用発明に、上記した周知慣用の表示手段を付加して、情報表示の表示時間を長、短と異なるものとすることは当業者が適宜に行うことであり、長、短と異なる上記表示時間のうち、前回の大当たりから今回の大当たりの発生までの図柄変動の回数が所定回数を越える際の情報表示に、長く表示する表示時間を対応付け、変動回数が前記所定回数以内の際の情報表示に、短く表示する表示時間を対応付け、前記情報表示を長く表示する際と短く表示する際とで、画像表示をスクロールさせる速度を変えることは、遊技機の設計に際して当業者が適宜に行う設計事項にすぎない。
　そして本願発明が奏する効果も、引用発明及び周知技術が本来奏する効果から当業者が予測しうる範囲内のものであって、格別顕著なものとはいえない。 
　したがって、本願発明は、周知技術を参酌し、引用発明に基いて当業者が容易に発明をすることができたものである。 
　　　　　　　　　　　　　　　　　　　　　　　　　　　　　　　　　
６．むすび                               　　　　　　　　　　　 　
　以上のとおり、本願発明は、特許法第２９条第２項の規定により特許を受けることができない。
　よって、結論のとおり審決する。